(57)【特許請求の範囲】
【請求項１】
表示部が設けられた第１の筐体と、
操作部が設けられた第２の筐体と、
前記表示部に直接に固定された第１の軸及び第２の軸と、
前記第１の筐体に対して前記表示部を第１の状態と、縦方向に沿って形成された第１のガイドに沿って前記第１の軸が移動するとともに、前記第１のガイドの左右両側方に沿って伸びた左右両側部と、前記第１のガイドの一端から離間した部分において左右方向に伸びた中間部とを連続して形成された第２のガイドに沿って前記第２の軸が右あるいは左に移動することによって、右回転あるいは左回転して第２の状態とに切り換える回転ガイド機構とを備えることを特徴とする携帯電子機器。
【請求項２】
前記回転ガイド機構は前記表示部を、縦長状態あるいは横長状態から、第１のガイドに
沿って第１の軸が移動するとともに、第２のガイドに沿って第２の軸が右あるいは左に移
動することによって、前記表示部を右回転あるいは左回転させて横長状態あるいは縦長状
態へと切り換えることを特徴とする請求項１に記載の携帯電子機器。
【請求項３】
前記第１の筐体と前記第２の筐体とを折り畳み開閉自在に連結するヒンジ部を備えるこ
とを特徴とする請求項１に記載の携帯電子機器。
【請求項４】
前記第１の筐体と前記第２の筐体とをスライド開閉自在に連結するスライド部を備える
ことを特徴とする請求項１に記載の携帯電子機器。
【請求項５】
前記第１の筐体に対し前記表示部を左右の回転方向に付勢する付勢手段を備えることを
特徴とする請求項１から４のいずれか一項に記載の携帯電子機器。
【発明の詳細な説明】
【技術分野】
【０００１】
本発明は、表示部を縦長状態から回転させて横長状態に切り換えられる携帯電子機器に関する。
【背景技術】
【０００２】
特許文献１で知られるように、表示部が設けられた第１の筐体と操作部が設けられた第２の筐体とをヒンジ部で折り畳み開閉自在に連結した折り畳み式携帯電話機において、第１の筐体に対して表示部が、縦長状態と、縦方向ガイド溝に沿って第２ガイドピンが移動するとともに、左右方向ガイド溝に沿って第１ガイドピンが移動することによって右回転して横長状態に切り換えられるようにしたものがある。
また、特許文献２で知られるように、表示部を左または右に９０度回転させ、この回転に応じて表示状態を自動的に変更するようにしたものもある。
【特許文献１】特開２００６−２１１５７６号公報
【特許文献２】特開平９−１５９４６７号公報
【発明の開示】
【発明が解決しようとする課題】
【０００３】
しかし、特許文献１では、右回転しか考慮されておらず、利き手に応じて左回転させることができない。
また、特許文献２では、表示部の回転は左右共にできるように記載されているが、その機構がどのようなものであるかは開示されていない。
【０００４】
本発明の課題は、表示部が設けられた第１の筐体と操作部が設けられた第２の筐体とを備える携帯電子機器において、簡単な部品構成によって、縦長状態あるいは縦長状態から表示部を左右どちらにも回転できて、横長状態あるいは縦長状態にできるようにすることである。
【課題を解決するための手段】
【０００５】
以上の課題を解決するため、請求項１に記載の発明は、表示部が設けられた第１の筐体と、操作部が設けられた第２の筐体と、前記表示部に直接に固定された第１の軸及び第２の軸と、前記第１の筐体に対して前記表示部を第１の状態と、縦方向に沿って形成された第１のガイドに沿って前記第１の軸が移動するとともに、前記第１のガイドの左右両側方に沿って伸びた左右両側部と、前記第１のガイドの一端から離間した部分において左右方向に伸びた中間部とを連続して形成された第２のガイドに沿って前記第２の軸が右あるいは左に移動することによって、右回転あるいは左回転して第２の状態とに切り換える回転ガイド機構とを備える携帯電子機器を特徴とする。
【０００６】
請求項２に記載の発明は、請求項１に記載の携帯電子機器であって、前記回転ガイド機構は前記表示部を、縦長状態あるいは横長状態から、第１のガイドに沿って第１の軸が移動するとともに、第２のガイドに沿って第２の軸が右あるいは左に移動することによって、前記表示部を右回転あるいは左回転させて横長状態あるいは縦長状態へと切り換えることを特徴とする。
【０００７】
請求項３に記載の発明は、請求項１に記載の携帯電子機器であって、前記第１の筐体と前記第２の筐体とを折り畳み開閉自在に連結するヒンジ部を備えることを特徴とする。
【０００８】
請求項４に記載の発明は、請求項１に記載の携帯電子機器であって、前記第１の筐体と前記第２の筐体とをスライド開閉自在に連結するスライド部を備えることを特徴とする。
【０００９】
請求項５に記載の発明は、請求項１から４のいずれか一項に記載の携帯電子機器であって、前記第１の筐体に対し前記表示部を左右の回転方向に付勢する付勢手段を備えることを特徴とする。
【発明の効果】
【００１０】
本発明によれば、簡単な部品構成によって、縦長状態あるいは横長状態から表示部を左右どちらにも回転できて、横長状態あるいは縦長状態にすることができる。
【発明を実施するための最良の形態】
【００１１】
以下、図を参照して本発明を実施するための最良の形態を詳細に説明する。
図１から図３は本発明を適用する携帯電子機器として折り畳み式携帯端末を示すもので、１は第１の筐体、２は第２の筐体、３はヒンジ部、４は表示部である。図示のように、第１の筐体１と第２の筐体２はヒンジ部３を介して折り畳み開閉自在に連結され、第１の筐体１には図略のキー操作部が設けられ、第２の筐体２には別体の表示部４が回転ガイド機構を介して設けられている。
【００１２】
図１（ａ）は、第１の筐体１と第２の筐体２をヒンジ部３で折り畳んで重ねた折り畳み状態を示している。図１（ｂ）は、第１の筐体１と第２の筐体２をヒンジ部３で開いた状態を示している。図２（ａ）は、第２の筐体２及び表示部４を起こした状態を示している。図２（ｂ）は、表示部４の横長状態を示している。図３（ａ）及び（ｂ）は、表示部５の左右方向の回転過程を示している。
【００１３】
図４は本発明を適用した回転ガイド機構の一実施形態の構成として表示部４の背面側とガイドプレート５の分解状態を示したものであり、図５は第２の筐体２及び表示部４を起こした状態の概略断面図である。図示のように、表示部４の背面には、その長手方向に離間して第１の軸４１と第２の軸４２が固定して設けられている。ガイドプレート５は、第２の筐体２にネジなとにより固定して設けられるもので、このガイドプレート５には、貫通する孔により、その中央の縦方向に直線状に伸びた第１のガイド５１と、その左右両側及び上方を囲む第２のガイド５２が形成されている。
【００１４】
第２のガイド５２は、第１のガイド５１の左右両側方に沿って縦方向の直線状に近い曲線状に伸びた左右両側部５３と、第１のガイド５１の上端から離間した部分において左右方向に伸びた中間部５４とを連続して形成されている。中間部５４は、その中央部５５が第１のガイド５１の上端側に寄る湾曲状に形成されるとともに、左右両側部５３の上端との連続部も中央部５５に滑らかに連なる湾曲状に形成されている。こうして、第２のガイド５２は、Ｍに近似する曲線形状に形成されている。
【００１５】
そして、図示されるように、第１の軸４１が第１のガイド５１に挿入されるとともに、第２の軸４２が第２のガイド５２に挿入される。
図６は、第１のガイド５１の上端側に第１の軸４１を位置させるとともに、第２のガイド５２の中央部５５に第２の軸４２を位置させた状態を示している。そして、図５に示すように軸４１、４２の先端にはガイドプレート５から抜け防止のためにガイドピン４１１、４２１が設けられており、その軸４１は後述する引張コイルバネ６を架設するため軸４１に比べ長く設けられている。
【００１６】
さらに、図６に示すように(図４，５では省略)、第１の軸４１とガイドプレート５の左右下端との間には、付勢手段を構成する左右一対の引張コイルバネ６が各々架設されている。この左右一対の引張コイルバネ６の引張力によって、第２の筐体２に固定されたガイドプレート５に対し表示部４が、矢印Ａで示すように、下方向に常に引っ張られた状態に付勢されている。
【００１７】
図７は表示部４の横長状態から縦長状態への切り換え時における回転ガイド機構の第１及び第２のガイド５１・５２と軸４１・４２の関係を示した背面図である。すなわち、図７（ａ）のように、第１のガイド５１の下端に第１の軸４１が位置して、第２のガイド５２の図示左側部５３の下端に第２の軸４２が位置した、表示部４の横長状態から図示右回り（正面側から見れば左回り）に表示部４を回転操作すると、図７（ｂ）のように、第１のガイド５１に沿って第１の軸４１が上方に移動するとともに、第２のガイド５２の図示左側部５３に沿って第２の軸４２が上方に移動する。
【００１８】
そして、図７（ｃ）のように、第１のガイド５１の上端に第１の軸４１が位置するとともに、第２のガイド５２の図示左側部５３の上端から中間部５４の図示左端に第２の軸４２が位置する。さらに、図示右回りに表示部４を回転操作することで、図７（ｄ）のように、第１のガイド５１の上端から下がって第１の軸４１が位置するとともに、第２のガイド５２の中間部５４から下がった中央部５５に第２の軸４２が位置する。これにより、図示のように、表示部４が縦長状態に切り換わる（正面側から見た図２（ｂ）も参照）。
【００１９】
以上において、図７（ａ）の状態から図７（ｂ）の状態を経て図７（ｃ）の状態までは、前述したように、第１の軸４１とガイドプレート５の左右下端との間に各々架設した左右一対の引張コイルバネ６の引張力に抗して表示部４を回転操作する必要がある。そして、図７（ｃ）の状態から図７（ｄ）の状態へは、逆に、左右一対の引張コイルバネ６の引張力により表示部４がアシストされて回転動作する。
【００２０】
図８は表示部４の縦長状態から横長状態への切り換え時における回転ガイド機構の第１及び第２のガイド５１・５２と軸４１・４２の関係を示した背面図である。すなわち、図８（ａ）のように、第１のガイド５１の上端から下がって第１の軸４１が位置するとともに、第２のガイド５２の中間部５４から下がった中央部５５に第２の軸４２が位置した、表示部４の縦長状態から図示右回り（正面側から見れば左回り）に表示部４を回転操作すると、図８（ｂ）のように、第１のガイド５１の上端に第１の軸４１が位置するとともに、第２のガイド５２の中間部５４の図示右端から図示右側部５３の上端に第２の軸４２が位置する。
【００２１】
そして、図８（ｃ）のように、第１のガイド５１に沿って第１の軸４１が下方に移動するとともに、第２のガイド５２の図示右側部５３に沿って第２の軸４２が下方に移動する。さらに、図示右回りに表示部４を回転操作することで、図８（ｄ）のように、第１のガイド５１の下端に第１の軸４１が位置して、第２のガイド５２の図示右側部５３の下端に第２の軸４２が位置する。これにより、図示のように、表示部４が横長状態に切り換わる（正面側から見た図２（ａ）も参照）。
【００２２】
以上において、図８（ａ）の状態から図８（ｂ）の状態へは、前述した左右一対の引張コイルバネ６の引張力に抗して表示部４を回転操作する必要がある。そして、図８（ｂ）の状態から図８（ｃ）の状態を経て図８（ｄ）の状態までは、逆に、左右一対の引張コイルバネ６の引張力により表示部４がアシストされて回転動作する。
【００２３】
なお、背面側から見て表示部４の右回り（正面側から見れば左回り）の回転操作について説明したが、反対に、背面側から見て表示部４の左回り（正面側から見れば右回り）の回転操作の場合は、図７及び図８において、いずれも図（ｄ）の状態から図（ｃ）の状態、図（ｂ）の状態を経て図（ａ）の状態に至って表示部４の縦長／横長状態が切り換わる。
【００２４】
以上のように、実施形態によれば、折り畳み式携帯端末において、回転ガイド機構を構成する第１及び第２のガイド５１・５２と軸４１・４２による簡単な部品構成によって、表示部４を左右どちらにも回転できて横長状態にすることができる。
そして、第１の軸４１とガイドプレート５の左右下端との間に各々架設した左右一対の引張コイルバネ６の引張力によって、表示部４をアシストして回転動作させることができる。
【００２５】
（付勢手段の変形例）
図９は付勢手段の変形例を示したもので、前述した回転ガイド機構において、図示のように、第１の軸４１とガイドプレート５の左右下端との間には、付勢手段を構成する左右一対の捩りコイルバネ７が各々架設されている。この左右一対の捩りコイルバネ７の捩り力によって、第２の筐体２に固定されたガイドプレート５に対し表示部４が、矢印Ａで示すように、下方向に常に引っ張られた状態に付勢されている。
【００２６】
このように、付勢手段としては、前述した引張コイルバネ６に代えて、捩りコイルバネ７を採用しても、同様の作用効果が得られる。
【００２７】
（ガイドの変形例）
図１０（ａ）及び（ｂ）は第２のガイド５２の変形例を示すもので、図示のように、第２のガイド５２の中間部５４を、前述した第１のガイド５１の上端側に寄る湾曲状の中央部５５のない、左右両側部５３の上端から滑らかに連なる一様な湾曲状に形成している。
【００２８】
このように、第２のガイド５２において、左右両側部５３の上端から滑らかに連なる一様な湾曲状の中間部５４としても、同様の作用効果が得られる。
なお、このような第２のガイド５２の中間部５４における第２の軸４２の中央位置での停止は、付勢手段（引張コイルバネ６または捩りコイルバネ７）の付勢力により保持されるが、必要であれば、他の停止保持構造や機構を設ければ良い。
【００２９】
（携帯電子機器の他の例）
図１１は本発明を適用する携帯電子機器としてスライド式携帯端末を示すもので、１０１は第１の筐体、１０２は第２の筐体、１０３はスライド部、１０４は表示部である。図示のように、第１の筐体１０１と第２の筐体１０２はスライド部１０３を介してスライド開閉自在に連結され、第１の筐体１０１には図略のキー操作部が設けられ、第２の筐体１０２には表示部１０４が一体に設けられている。
【００３０】
図１１（ａ）は、第１の筐体１０１と第２の筐体１０２をスライド部１０３を介して重ねた状態を示している。図１１（ｂ）は、第１の筐体１０１と第２の筐体１０２をスライド部１０３によりスライドして開いた状態を示している。図１１（ｃ）は、表示部１０４を横長状態に切り換えた状態を示している。すなわち、この表示部１０４が一体の第２の筐体１０２は、前述した回転ガイド機構を介してスライド部１０３に取り付けられている。
【００３１】
このように、スライド式携帯端末においても、前述した回転ガイド機構を適用でき、従って、前述したように、簡単な部品構成によって、表示部４を左右どちらにも回転できて横長状態にすることができる。
なお、以上の実施形態においては、携帯端末としたが、本発明はこれに限定されるものではなく、携帯ＰＣ等、他の携帯電子機器であっても良い。
また、実施形態では、第２の筐体側にガイドを設けて、表示部側に軸を設けたが、逆に、表示部側にガイドを設けて、第２の筐体側に軸を設けても、同様の回転機能が得られる。
さらに、実施形態では、貫通する孔によるガイドとしたが、溝によるガイドであっても良い。
また、ガイドの形状、付勢手段の構成等も任意であり、その他、具体的な細部構造等についても適宜に変更可能であることは勿論である。
また、携帯電話に限らずＰＤＡ、カメラ、電卓、電子手帳などの携帯電子機器に用いてもよい。
【００３２】
（表示状態の変形例）
図１２はノートパソコンを例にしたもので、表示部４は通常の使用時においては図１２（ａ）の横長状態となっている。そして、その横長状態から縦長状態への切り換え時における回転ガイド機構の第１及び第２のガイド５１・５２と軸４１・４２の関係を示した背面図である。すなわち、図１２（ａ）のように横長状態では、第１のガイド５１の上端に第１の軸４１が位置するとともに、第２のガイド５２の中間部５４の図示右端から図示右側部５３の上端に第２の軸４２が位置する。
そして、図１２（ｂ）のように、第１のガイド５１に沿って第１の軸４１が上方に移動するとともに、第２のガイド５２の図示右側部５３に沿って第２の軸４２が上方に移動する。さらに、図１２（ｃ）を経て図示左回りに表示部４を回転操作させすることで、図１２（ｄ）のように、第１のガイド５１の上端に第１の軸４１が位置して、第２のガイド５２の図示右側部５３の下端に第２の軸４２が位置する。これにより、図示のように、表示部４が縦長状態に切り換わる。
また、図１２（ｄ）の縦長状態から図示左回りに表示部４を回転操作させすることで図１２（ａ）の横長状態と１８０度回転させた縦長状態とすることができる。
なお、この場合、表示部４は回転によってキーボード(図示せず)と緩衝しない位置に配置される。
【図面の簡単な説明】
【００３３】
【図１】本発明を適用する携帯電子機器として折り畳み式携帯端末を示すもので、折り畳み状態を示した斜視図（ａ）と開いた状態を示した斜視図（ｂ）である。
【図２】同じく、第２の筐体及び表示部を起こした状態を示した斜視図（ａ）と表示部の横長状態を示した斜視図（ｂ）である。
【図３】同じく、表示部の左右方向の回転過程を示した斜視図（ａ）（ｂ）である。
【図４】本発明を適用した回転ガイド機構の一実施形態の構成を示すもので、表示部の背面側とガイドプレートの分解斜視図である。
【図５】第２の筐体及び表示部を起こした状態の概略断面図である。
【図６】図４のガイドプレートを仮想線で示して付勢手段を装着して示した回転ガイド機構の斜視図である。
【図７】表示部の横長状態から縦長状態への切り換え時における回転ガイド機構の第１及び第２のガイドと軸の関係を示した背面図（ａ）（ｂ）（ｃ）（ｄ）である。
【図８】表示部の縦長状態から横長状態への切り換え時における回転ガイド機構の第１及び第２のガイドと軸の関係を示した背面図（ａ）（ｂ）（ｃ）（ｄ）である。
【図９】付勢手段の変形例を示した斜視図である。
【図１０】ガイドの変形例を示すもので、変形部を軸が通る状態を示した図（ａ）（ｂ）である。
【図１１】本発明を適用する携帯電子機器としてスライド式携帯端末を示すもので、重ねた状態を示した斜視図（ａ）とスライドして開いた状態を示した斜視図（ｂ）と表示部を横長状態に切り換えた斜視図（ｃ）とである。
【図１２】通常は表示部を横長状態で使用するものであって、表示部の横長状態から縦長状態への切り換え時における回転ガイド機構の第１及び第２のガイドと軸の関係を示した背面図（ａ）（ｂ）（ｃ）（ｄ）である。
【符号の説明】
【００３４】
１  第１の筐体
２  第２の筐体
３  ヒンジ部
４  表示部
４１  第１の軸
４２  第２の軸
５  ガイドプレート
５１  第１のガイド
５２  第２のガイド
６  付勢手段（引張コイルバネ）
７  付勢手段（捩りコイルバネ）
１０１  第１の筐体
１０２  第２の筐体
１０３  スライド部
１０４  表示部
【図１】
0004803534.tif 000002
【図２】
0004803534.tif 000003
【図３】
0004803534.tif 000004
【図４】
0004803534.tif 000005
【図５】
0004803534.tif 000006
【図６】
0004803534.tif 000007
【図７】
0004803534.tif 000008
【図８】
0004803534.tif 000009
【図９】
0004803534.tif 000010
【図１０】
0004803534.tif 000011
【図１１】
0004803534.tif 000012
【図１２】
0004803534.tif 000013